(57)【特許請求の範囲】
【請求項１】
下型上に着座部とまち部とを接ぎ合わせて縫着したトリムカバーを載置し、このトリムカバーにパッドを加圧して接着剤でトリムカバーをパッドに接着する接着シートの製造装置であって、
前記下型の周囲に、前記トリムカバーの接ぎ個所に差し込みむと共にパッドの外側面方向に上昇させてトリムカバーの一部をパッドの外側面に接着させる先端を尖鋭状にしたプレート板製の押圧片を、設けてなることを特徴とする接着シートの製造装置。
【発明の詳細な説明】
【０００１】
【発明の属する技術分野】
本発明は発泡体製パッドにトリムカバーを接着剤で接着することにより形成する自動車用接着シートにおける製造装置に関する。
【０００２】
【従来の技術】
接着シートは略シートクッション又はシートバックの外形形状にモールド成形した発泡体製のパッドにトリムカバーを接着することにより成形している。
【０００３】
そして、以上の接着は、押圧面をシートクッション又はシートバックの着座面の凹凸形状に一致する形状の下型上にトリムカバーを載置し、このトリムカバーに上型に取付けたパッドを下降させてトリムカバーに加圧することにより接着している。
【０００４】
従って、トリムカバーはパッドの加圧面に接着されるが、加圧できないパッドの外側面にはトリムカバーを接着できない不具合がある。
【０００５】
【発明が解決しようとする課題】
そこで、斯る不具合を解消するために、下型にパッドの外側部まで収容する空間部を設け、この空間部の内壁面にパッドの外側部を押圧する押圧手段を配設して、パッドの外側部にトリムカバーのまち部を接着するものを本願出願人が提案している（例えば実開昭６２ー７５９２０号公報）。
【０００６】
これは下型上のトリムカバーにパッドを下降させて接着した後、前記空間部内に押圧手段を有する別の下型内に、前記パッドの加圧面に接着したトリムカバーを収容して押圧手段でトリムカバーのまち部をパッドの外側面に接着する構造である。
【０００７】
そのため、下型が複数必要になるし、型の構造も複雑で、しかも、別型で接着するため、接着の作業性が悪い。
そこで、本発明は一ケの下型を使用してトリムカバーのまち部をパッドの外側面に接着できるようにすることを目的とする。
【０００８】
【課題を解決するための手段】
以上の目的を達成するための本発明は、下型上に着座部とまち部とを接ぎ合わせて縫着したトリムカバーを載置し、このトリムカバーにパッドを加圧して接着剤でトリムカバーをパッドに接着する接着シートの製造装置であって、前記下型の周囲に、前記トリムカバーの接ぎ個所に差し込むと共にパッドの外側面方向に上昇させてトリムカバーの一部をパッドの外側面に接着させる先端を尖鋭状にしたプレート板製の押圧片を、設けてなることを特徴とするものである。
【０００９】
以上の構成により、下型の押圧片を上昇させることにより、押圧片がトリムカバーにおけるパッドの外側面を被覆する部位（まち部）をパッドの外側面に接着することができる。
【００１０】
また、前記トリムカバーに有する接ぎ個所に対応する部位に、前記押圧片を配設することにより、トリムカバーの接ぎ目に押圧片の先端部を差し込むことができ、トリムカバーのパッドに対する位置決めができるし、また、押圧片によるトリムカバーの押圧を的確に行うことができる。
【００１１】
【実施例】
以下、本発明の一実施例を図面に基づいて説明する。
図１は本発明に係る装置を使用して発泡体製のパッド（Ｐ）をトリムカバー（Ｓ1）（Ｓ2）に接着する前の状態を示し、パッド（Ｐ）は着座面側が凹凸状にモールド成形されており、この着座面側が下向きに上型（不図示）に取付けられる。
【００１２】
図中（Ｐ3）は中央部、（Ｐ2）（Ｐ2）は中央部（Ｐ3）の両側に設けた土手部を示し、この中央部（Ｐ3）、土手部（Ｐ2）（Ｐ2）が前記着座面側を形成している。
【００１３】
また、（Ｐ1）（Ｐ1）はパッド（Ｐ）の外側面（Ｐ4）（Ｐ4）における土手部近傍を示し、パッド（Ｐ）がシートクッション用であれば外側面上部、シートバック用であれば外側面の前部である。
【００１４】
トリムカバー（Ｓ1）（Ｓ2）は、身頃部及び額縁部からなる着座部（Ｓ1）に対して、まち部（Ｓ2）は接ぎ合わされて縫着され、着座部（Ｓ1）が前記パッド（Ｐ）の土手部（Ｐ2）（Ｐ2）から外側面の土手部近傍（Ｐ1）（Ｐ1）まで被覆する大きさに形成され、まち部（Ｓ2）は着座部（Ｓ1）によって被覆されない部分のパッド（Ｐ）の外側面（Ｐ4）（Ｐ4）を被う大きさに形成されている。
【００１５】
そして、以上のトリムカバーの着座部（Ｓ1）の内面又はこの着座部（Ｓ1）に被覆されるパッド（Ｐ）の中央部（Ｐ3）、土手部（Ｐ2）（Ｐ2）、土手部近傍（Ｐ1）（Ｐ1）に接着剤（Ａ）が塗布される。
【００１６】
以上のトリムカバー（Ｓ1）（Ｓ2）を裏返して載置する下型（１）は、パッド（Ｐ）の土手部（Ｐ2）（Ｐ2）、中央部（Ｐ3）の外形形状と略同一に加圧面が形成され、この下型（１）は支持体（１０）を介して台座（１１）上に支持されている。
【００１７】
前記下型（１）の周囲（少なくともパッド（Ｐ）の左右両側面）に押圧片（２）（２）が上下方向にスライド自在に配設されている。
【００１８】
押圧片（２）（２）は、パッド（Ｐ）の左右両外側側（Ｐ4）（Ｐ4）における土手部近傍（Ｐ1）（Ｐ1）に沿う形状に形成されている。
【００１９】
押圧片（２）（２）は先端を尖鋭状にしたプレート板でエアシリンダー（２２）、ばね（不図示）などによって図２に示すように下型（１）の外周面よりわずかに突出している状態から上昇して図３、図４に示すようにパッド（Ｐ）の土手部近傍（Ｐ1）（Ｐ1）まで移動するように構成されている。
【００２０】
図（Ｓ）はトリムカバーにおける着座部（Ｓ1）とまち部（Ｓ2）との接ぎ個所で、縫糸（Ｓ3）によって着座部（Ｓ1）とまち部（Ｓ2）の両端末（Ｓ1′）（Ｓ2′）は接ぎ合わされている。
【００２１】
そして、前記押圧片（２）（２）は、下型（１）上にトリムカバーを裏返し状態でセットした際に、トリムカバーの接ぎ個所（Ｓ）（Ｓ）に差し込まれるように配設されている。
【００２２】
従って、押圧片（２）（２）は、下型（１）に対するトリムカバーのセット用の位置決め部材となる。
なお、図中（Ｈ）（Ｈ）はトリムカバーのまち部（Ｓ2）（Ｓ2）をパッド（Ｐ）のトリムカバーに対する加圧接着時に固定するためのクランプを示す。
【００２３】
次に、以上の押圧片（２）付の下型（１）を使用してトリムカバー（Ｓ1）をパッド（Ｐ）に接着する方法を説明する。
まず、図１、図２に示すように、下型（１）の押圧片（２）（２）にトリムカバー（Ｓ1）（Ｓ2）の接ぎ個所（Ｓ）に差し込まれるように、トリムカバー（Ｓ1）（Ｓ2）を載置してまち部（Ｓ2）（Ｓ2）をクランプ（Ｈ）（Ｈ）で固定する。そして、上型にパッド（Ｐ）を取付ける。
【００２４】
次に、パッド（Ｐ）又はトリムカバー（Ｓ1）に接着剤を塗布した後、パッド（Ｐ）を取付けた上型を下降させてパッド（Ｐ）をトリムカバー（Ｓ1）に圧着させる。この圧着状態を終了させた後、まち部（Ｓ2）（Ｓ2）のクランプ状態を解除させる。
【００２５】
然る後、図３、図４に示すように、押圧片（２）（２）を上昇させてトリムカバー（Ｓ1）（Ｓ2）の接ぎ個所（Ｓ）を上向きに押し上げる。これにより、接ぎ個所（Ｓ）を形成する着座部（Ｓ1）の端末（Ｓ1′）がパッド（Ｐ）の左右両外側面（Ｐ4）（Ｐ4）における土手部近傍（Ｐ1）（Ｐ1）まで接着される。
【００２６】
なお、押圧片（２）（２）によって前記パッド（Ｐ）の左右両外側面（Ｐ4）（Ｐ4）における土手部近傍（Ｐ1）（Ｐ1）までトリムカバーの着座部（Ｓ1）の端末（Ｓ1′）が接着されるように、左右の押圧片（２）（２）の間隔は左右の土手部近傍（Ｐ1）（Ｐ1）間より幅狭状に形成され、押圧片（２）（２）を上昇させた際に、パッド（Ｐ）が圧潰されて着座部（Ｓ1）の端末（Ｓ1′）が圧着されるように構成されている。
【００２７】
以上の如く、トリムカバーの着座部（Ｓ1）全体を接着した後、上型からパッド（Ｐ）を取り外し上型を上昇させてトリムカバー付のパッド（Ｐ）を下型（１）から外し、接着されていないトリムカバーのまち部（Ｓ2）（Ｓ2）でパッド（Ｐ）の左右両側面（Ｐ4）（Ｐ4）を被覆する。この状態を図５、図６に示す。
【００２８】
図５、図６において、図中（Ａ）は接着剤で、トリムカバーの接ぎ個所（Ｓ）がパッド（Ｐ）の外側面（Ｐ4）側に位置するように接着されている。
【００２９】
なお、図示するものは、上型をパッド固定用、下型をトリムカバーの載置用にしているが、これを逆にしても良い。
【００３０】
【発明の効果】
本請求項１の発明によれば、下型の周囲に上昇させることによりトリムカバーの一部をパッドの外側面に接着させる押圧片を設けているので構造が簡単で、しかも前記従来品に対して作業性を向上し得る。
【００３１】
また、トリムカバーの接ぎ目に押圧片を差し込んで押し上げパッドに接着できるので、パッドの外側面にトリムカバーを確実に接着できるし、また、下型上にトリムカバーを載置する際に押圧片が位置決め部材となり、パッドの所定個所にトリムカバーを接着できる。
【図面の簡単な説明】
【図１】本発明に係る装置を使用してパッドをトリムカバーに接着する前の状態を示す断面図である。
【図２】図１のＸ部の拡大図である。
【図３】図１の状態よりトリムカバーの一部をパッドの外側面に接着する状態を示す断面図である。
【図４】図３のＹ部の拡大図である。
【図５】本発明に係る装置を使用して接着成形したシートの断面図である。
【図６】図５のＺ部の拡大図である。
【符号の説明】
１      下型
２      押圧片
２        〃
Ｓ1     トリムカバー
Ｓ2       〃
Ｐ      パッド
Ｐ4     パッドの外側面
Ｐ4       〃
Ｓ      トリムカバーの接ぎ個所
【図１】
0003745660.tif 000002
【図２】
0003745660.tif 000003
【図３】
0003745660.tif 000004
【図４】
0003745660.tif 000005
【図５】
0003745660.tif 000006
【図６】
0003745660.tif 000007